(57)【特許請求の範囲】
【請求項１】
新聞広告丁合装置において積層された紙葉類を一枚ずつ給紙するために用いられる給紙ローラが、
ローラ駆動軸に接続される単数のホイールと、
該ホイール外周面に配設されるゴムローラと、からなり、
該ゴムローラは、該ローラ駆動軸の軸方向に沿って複数連接され、
前記ホイール外周面の中間部には該ホイールの周方向に沿って境界リブが形成され、該境界リブの両側のホイール外周面部分に各々ゴムローラが配設され、該境界リブが該複数のゴムローラ間に介在して該ゴムローラの側縁に当接し、
さらに前記給紙ローラを用いた給紙方法であって、
互いに材質が異なる複数の紙葉類のうち第一の紙葉類を給紙する際には、単数のホイールに取り付けられた複数のゴムローラのうち全てのゴムローラが取り付けられた給紙ローラを用いて給紙し、第一の紙葉類とは異なる第二の紙葉類を給紙する際には、単数のホイールに取り付けられた複数のゴムローラのうち少なくともいずれか一つが取り外された給紙ローラを用いて給紙する
ことを特徴とする給紙方法。
【発明の詳細な説明】
【技術分野】
【０００１】
本発明は、紙葉類を給紙する装置、特に新聞広告丁合装置に用いられる給紙装置に使用される給紙ローラ、及びこれを用いた給紙方法に関する。
【背景技術】
【０００２】
紙葉類を供給する装置には、紙葉類が多重に供給されることを防止するために種々の重送防止装置が用いられている。特に新聞広告丁合装置にあっては、種類の異なる紙を扱うために、それぞれの紙にあった重送防止装置が必要とされる（例えば、特許文献１〜３参照。）。
【先行技術文献】
【特許文献】
【０００３】
【特許文献１】特開２００８−７４６１５号公報
【特許文献２】特開２００６−２６４９７５号公報
【特許文献３】特開平７−２６７４０１号公報
【発明の概要】
【発明が解決しようとする課題】
【０００４】
しかしながら、上記従来の給紙装置においては、給紙するちらし類が非常に滑りやすい材質のものである場合、ゴムローラと捌き板（パッド）との圧接力が低すぎると十分な重送防止性能を得られないという不具合があった。逆に圧接力が高すぎると給紙ローラ及び捌き板（パッド）の過剰な摩擦によってちらしにしわがよったり、破れたりしてしまうといった不具合があった。これらの不具合を解消するためには、ゴムローラと捌き板（パッド）間の圧接力やローラの回転速度等を調節する必要があるが、これは非常に困難な作業であり、更にちらし類の種類が変わればまた異なる設定をしなければならないという不具合があった。
【０００５】
そこで、本発明は、給紙装置で非常に滑りやすい材質のちらし等を扱っても、簡単な操作で重送やしわや破れといった不具合の起こらない給紙ローラを提供することを目的とする。
【課題を解決するための手段】
【０００６】
本発明は、新聞広告丁合装置において積層された紙葉類を一枚ずつ給紙するために用いられる給紙ローラが、ローラ駆動軸に接続される単数のホイールと、該ホイール外周面に配設されるゴムローラと、からなり、該ゴムローラは、該ローラ駆動軸の軸方向に沿って複数連接され、前記ホイール外周面の中間部には該ホイールの周方向に沿って境界リブが形成され、該境界リブの両側のホイール外周面部分に各々ゴムローラが配設され、該境界リブが該複数のゴムローラ間に介在して該ゴムローラの側縁に当接し、さらに前記給紙ローラを用いた給紙方法であって、互いに材質が異なる複数の紙葉類のうち第一の紙葉類を給紙する際には、単数のホイールに取り付けられた複数のゴムローラのうち全てのゴムローラが取り付けられた給紙ローラを用いて給紙し、第一の紙葉類とは異なる第二の紙葉類を給紙する際には、単数のホイールに取り付けられた複数のゴムローラのうち少なくともいずれか一つが取り外された給紙ローラを用いて給紙することを特徴とする給紙方法である。
【０００７】
このように本発明は、複数のゴムローラが取り付けられることとなり、結果的にゴムローラの幅を従来に比して広げることが可能となる。これによって給紙ローラの押圧力を低減しても、全体的に紙葉類に与えられる給紙時の圧力は給紙に十分なものとなる。また給紙ローラの押圧力を低減できることによって、すべり力に弱い、あるいは破れやすい紙葉類に対しても、十分な給紙性能、及び重送防止性能が得られる。また、かかる構成とすることにより、前記境界リブによって前記複数のゴムローラが軸方向へ移動することを規制され、前記ホイールからずれたり、外れたりするという不具合を防止できる。また、かかる構成とすることにより、簡便な作業で、互いに材質が異なる複数の紙葉類を迅速かつ容易に重送、しわ、破れ等を招くことなく給紙することができる。また、例えば、いずれか一つのゴムローラの幅を従来からよく使用されている汎用品のゴムローラの幅と同一にすることにより、他のゴムローラを取り外して従来と同様の条件の下で給紙することができるため、従来のローラの使用に慣れた作業者に対して新たなノウハウを強要しない利点がある。したがって、かかる給紙方法は、作業者が従来と同じ感覚で給紙を行うことができる。
【０００８】
ここで、十分な給紙性能、及び重送防止性能を得るために、所望の幅まで広げられた単一のゴムローラを備える給紙ローラが提案され得る。しかし、このような単一で幅広のゴムローラを備える構成は、該ゴムローラを取り替える作業が非常に面倒なものとなる。これに対して本発明の給紙ローラは、ゴムローラが複数で構成されていることにより、脱着作業が容易に行なえる。
【００１１】
また、上記の給紙ローラを前記ローラ駆動軸に装着するための機構であって、該ローラ駆動軸は溝を備え、前記ホイールの側端面にはストッパ部材が配設されており、該ストッパ部材は互いに軸支されている第１挟着体と第２挟着体と、該第１挟着体と第２挟着体とを閉鎖方向へ付勢する付勢手段と、を備え、該第２挟着体には嵌着部が設けられており、該ローラ駆動軸に設けられた溝内に該嵌着部が、該付勢手段による付勢力に従って嵌着することによって該ローラ駆動軸に対する該給紙ローラの軸方向への移動を規制することを特徴とする給紙ローラ装着機構としてもよい。
【００１２】
かかる構成とすると、単に前記第１挟着体と第２挟着体との閉鎖方向への付勢力を利用するだけで、前記給紙ローラが前記ローラ駆動体の軸方向へ移動することを規制されることとなり、非常に簡便な構成で確実に該給紙ローラを該ローラ駆動体に装着することができる。このため、該給紙ローラ装着機構は、ストッパ部材における第１挟着体と第２挟着体との閉鎖方向への付勢力を利用するだけ、という簡便な機構によって、給紙ローラをローラ駆動軸の適正な位置に容易に装着することができる利点がある。
【発明の効果】
【００１５】
本発明の給紙方法は、簡便な作業で、互いに材質が異なる複数の紙葉類を迅速かつ容易に重送、しわ、破れ等を招くことなく給紙することができる。
【図面の簡単な説明】
【００１６】
【図１】給紙ローラの分解図であり、（ａ）は側面図、（ｂ）は平面図である。
【図２】ストッパ部材の平面図である。
【図３】給紙ローラをローラ駆動軸に取り付けた状態を示す平面図である。
【図４】給紙ローラをローラ駆動軸に取り付けた状態を示す断面斜視図である。
【発明を実施するための形態】
【００１７】
以下、本発明の給紙ローラを具体化した実施例を詳細に説明する。なお、本発明は、下記に示す実施例に限定されることはなく、適宜設計変更が可能である。
【００１８】
図１には、給紙ローラ１を分解した図が示される。該給紙ローラ１は、単数のホイール２と、複数のゴムローラ３Ａ，３Ｂとからなる。本実施例においては、該ゴムローラ３Ａの軸方向に沿った幅Ｌ１は、従来からよく使用されている汎用品のゴムローラの幅と同一にされ、一方、該ゴムローラ３Ｂの軸方向に沿った幅Ｌ２は、該ゴムローラ３Ａの幅Ｌ１の０．５倍とされている（Ｌ１＝２×Ｌ２）。
【００１９】
前記ホイール２には、ローラ駆動軸１０を挿通するための軸孔２ａが設けられている。更に該ホイール２の外周面２０であって、その左右両端には外側リブ２ｂ，２ｂが該ホイール２の周方向に沿って設けられている。また該ホイール２の外周面２０であって、その中間部には境界リブ２ｃが前記外側リブ２ｂと同じ方向に沿って設けられている。また、該ホイール２のホイール幅は該ゴムローラ３Ａ，３Ｂの幅Ｌ１，Ｌ２に外側リブ２ｂ，２ｂと境界リブ２ｃの幅の合計を足した幅に設定されている。また、該ホイール２の側端面２ｄには、ストッパ部材４を取り付けるためのネジ孔２ｅが設けられている。
【００２０】
前記ホイール２に前記ゴムローラ３Ａ，３Ｂを取り付ける際には、該ホイール２のリブ２ｂ，２ｂ，２ｃ間の距離Ｌ１，Ｌ２と同一の幅Ｌ１，Ｌ２を有する該ゴムローラ３Ａ，３Ｂをそれぞれ嵌着する。こうして、一つのホイール２に複数（２つ）のゴムローラ３Ａ，３Ｂが連続状に接続された給紙ローラ１が構成される。
【００２１】
前記のように給紙ローラ１のゴムローラ部分は、該ゴムローラ３Ａ，３Ｂにそれぞれ分割されているので、全幅がＬ１とＬ２の和に等しい単一のゴムローラをホイールに嵌着するよりも容易に嵌着作業を行なうことが可能である。
【００２２】
また、図２にはストッパ部材４の平面図が示される。該ストッパ部材４は、本体である第１挟着体４ａ、レバー体からなる第２挟着体４ｂ、圧縮バネからなる付勢手段４ｃ、とを備える。該第１挟着体４ａと第２挟着体４ｂとは軸支部４ｄによって互いに軸支されており、更に該付勢手段４ｃによって閉鎖方向（図２における矢印方向）へ付勢されている。また、該第２挟着体４ｂには凹状の嵌着部４ｅが設けられている。更に、該ストッパ部材４は、ネジ孔４ｆを通して前記ホイール２のネジ孔２ｅにネジ止めされる。
【００２３】
このようにして構成された前記給紙ローラ１は、図３，４に示す給紙ローラ装着機構４０によって、前記ローラ駆動軸１０に接続される。即ち、先ず前記ローラ駆動軸１０を前記ホイール２の軸孔２ａの前記ストッパ部材４の配設されていない側から挿通する。そして該ストッパ部材４の第２挟着体４ｂが該ローラ駆動軸１０に周方向に沿って設けられた溝１０ａに達した時点で、付勢手段４ｃによって及ぼされる該第１挟着体４ａと第２挟着体４ｂとの閉鎖方向への付勢力によって、該第２挟着体４ｂに設けられた嵌着部４ｅが該溝１０ａ内に嵌着する。こうすることで適正な位置に該ホイール２が該ローラ駆動軸１０に接続される。この際、図４に示すように、該ホイール２は、ローラ駆動軸１０の周囲に形成される領域Ｘ内に配置されるワンウェイクラッチ（図示省略）、及び軸受部材（図示省略）を介してローラ駆動軸１０に一方向のみ回動自在となるように接続される。なお、ワンウェイクラッチ及び軸受部材は、公知技術が好適に採用可能である。
【００２４】
また、ホイール２にゴムローラ３Ａ，３Ｂが取り付けられた状態で、前記外側リブ２ｂ，２ｂは、各ゴムローラ３Ａ，３Ｂの側縁に当接すると共に、前記境界リブ２ｃは、互いに隣接するゴムローラ３Ａ，３Ｂ間に介在し、かつ該ゴムローラ３Ａ，３Ｂの側縁にそれぞれ当接する。このため、該ゴムローラ３Ａ，３Ｂは該ホイール２の外側リブ２ｂと境界リブ２ｃとによって軸方向へのずれを防止されている。
【００２５】
このようにして設置された給紙ローラ１は、軸方向の幅が従来に比して１．５倍あり、これによって給紙時に、従来よりも低い圧力で給紙ローラ１を稼動させることができ、破れやすい材質のちらし等を給紙しても、重送やしわや破れといった不具合が起こることがない。
【００２６】
また、互いに材質が異なる複数の紙葉類を給紙する際には、以下のような手順で給紙が行われる。すなわち、前記複数の紙葉類のうち第一の紙葉類を給紙する際には、この紙葉類に適していることがあらかじめわかっている全てのゴムローラ３Ａ，３Ｂが取り付けられた給紙ローラ１を用いて給紙する。また、第一の紙葉類とは異なる第二の紙葉類を給紙する際であって、この紙葉類に適している条件が従来品と同様の条件の場合には、前記ホイール２から前記ゴムローラ３Ｂを取り外してゴムローラ３Ａのみで稼動させればよい。このように、従来と同様に給紙することができると、従来のローラの使用に慣れた作業者に対して新たなノウハウを強要しない利点があり、作業者が従来と同じ感覚で給紙を行うことができる。
この際、該ホイール２には境界リブ２ｃが設けられているので、該ゴムローラ３Ａが該ホイール２の適正位置からずれたり、該ホイール２から外れたりすることが防止される。これは種類の異なる紙葉類を多数取り扱うことになる新聞広告丁合装置の給紙装置においては特に有用な構成である。
【００２７】
更に、前記嵌着部４ｅを前記付勢手段４ｃの付勢力に抗して前記ローラ駆動軸１０の溝１０ａ内から離間させた後、該ローラ駆動軸１０から前記給紙ローラ１を引き抜くだけで該給紙ローラ１を、迅速に、取り外すことができる。また逆に、該ローラ駆動軸１０の溝１０ａに該ストッパ部材４の第２挟着体４ｂが達するまで該給紙ローラ１を差し込んだ時点で、該付勢手段４ｃの付勢力によって該第２挟着体４ｂに設けられた嵌着部４ｅが該溝１０ａ内に嵌着し、これによって該給紙ローラ１の取り付け位置が決定される。したがって作業者は該給紙ローラ１を該ローラ駆動軸１０から容易かつ迅速に取り外すことができ、作業性が向上する。更に、かかる構成は、該給紙ローラ１の適正な取り付け位置を容易に確認することができる。
【００２８】
なお、給紙ローラを拡幅するために、ゴムローラが取り付けられたホイールを複数連接させた構成としても、上記した効果と同じ効果が得られる。しかし、従来に比して幅が１．５倍のゴムローラを単体として用いた場合、上記したように従来の条件で給紙を行なうことが不可能となり、またゴムローラが摩耗したり汚れたりして交換しようとする際には拡幅されたゴムローラの幅が交換作業の妨げとなる。
【００２９】
前記ホイール２及びゴムローラ３Ａ，３Ｂに用いられる材料は、それぞれ公知のものが好適に用いられ、特に限定されない。
ホイール２ひとつに取り付けられるゴムローラは３個以上でもよく、またそのうちの一つの幅を従来のものと同一にする必要はなく、それぞれの幅は適宜設定可能である。また、複数のホイールを用いる場合、その個数は適宜設定可能である。
また、前記ストッパ部材４において、前記第２挟着体４ｂにのみ嵌着部を設ける必要はなく、前記第１挟着体４ａと該第２挟着体４ｂとの両方に嵌着部を設け、これによって該ローラ駆動軸１０の溝１０ａを挟むようにしても構わない。
【符号の説明】
【００３０】
１            給紙ローラ
２            ホイール
２ｃ          境界リブ
３Ａ，３Ｂ    ゴムローラ
１０          ローラ駆動軸
【図１】
0005785817.tif 000002
【図２】
0005785817.tif 000003
【図３】
0005785817.tif 000004
【図４】
0005785817.tif 000005